(57)【特許請求の範囲】
【請求項１】
子供にとって安全なスライダジッパークロージャシステムであって、
（ａ）  動作可能に開閉可能なジッパークロージャと；
前記ジッパークロージャに動作可能に取り付けられた２つの可動スライダを有するスライダ構造と；
を備え、
前記２つのスライダは、選択的にともに連結されかつ前記ジッパークロージャに沿って単一ユニットとして摺動するよう構成されかつ配置されており、
前記２つのスライダは、互いから選択的に解放されかつ前記ジッパークロージャに沿って個別に摺動するよう構成されかつ配置され、
前記２つのスライダは、ともに連結されている場合に、連結されたスライダが前記ジッパークロージャに沿って任意の方向に移動される際に前記ジッパークロージャが閉じられたままとなるように構成されかつ配置され、
前記２つのスライダは、前記２つのスライダが互いから解放されている場合に、前記２つのスライダの一方または両方を前記ジッパークロージャに沿って互いから離れる方向に移動させることによって前記ジッパークロージャを開放できるように構成されかつ配置され、
前記２つのスライダは、それらの間に選択的に解除可能な接続を実現するために突出−受容構造を含み、
前記２つのスライダの各々は、上部部材と、それから延出する第１および第２の側壁と、を含む本体を備え、
前記突出―受容構造は、前記第１の側壁と前記第２の側壁とに設けられる受容部または偏向可能な舌状部を含み、
前記受容部は、前記第１のスライダの前記第１の側壁および前記第２のスライダの前記第２の側壁に設けられる凹部で構成され、
前記偏向可能な舌状部は、前記第１のスライダの前記第２の側壁および前記第２のスライダの前記第１の側壁に設けられる突出部で構成され、
前記凹部と前記突出部とは、前記突出部が前記凹部に受容された際に、前記第１のスライダの前記第１の側壁と前記第２のスライダの前記第１の側壁とが面一となるように構成され、前記第１のスライダの前記第２の側壁と前記第２のスライダの前記第２の側壁とが面一となるように構成されている
ことを特徴とするスライダジッパークロージャシステム。
【請求項２】
前記２つのスライダの各々は前記突出部および前記受容部の両方を有することを特徴とする請求項１に記載のスライダジッパークロージャシステム。
【請求項３】
請求項１もしくは請求項２に記載の前記スライダジッパークロージャシステムを備えるフレキシブルパッケージであって、前記ジッパークロージャは、前記ジッパークロージャが開放された場合にパッケージの内側へのアクセスを提供する、ことを特徴とするフレキシブルパッケージ。
【請求項４】
相互連結する雄型および雌型形状部を含む雄型トラックおよび雌型トラックを有するプラスチック製のジッパークロージャのためのダブルスライダであって、
前記ダブルスライダは：
（ａ）  開端部と閉端部とを備える本体を有する第１のスライダであって；
（ｉ）  前記本体は上部部材とそこから延出する第１および第２の側壁とを含み；前記第１のスライダは前記第１および第２の側壁の間において前記上部部材の内面から垂下する分離フィンガを有しており；
（Ａ）  前記本体は、これら複数のトラックに跨る前記第１および第２の側壁と前記複数のトラックの間に位置決めされる前記フィンガとともに、前記複数のトラックの上縁部に沿って移動するよう構成されており；
（ｉｉ）  前記分離フィンガは、前記第１のスライダの前記閉端部におけるよりも前記第１のスライダの前記開端部へ向けて幅広となっており、前記フィンガの幅広端部によって前記雄型および雌型形状部の分離が可能であり；
（ｉｉｉ）  前記第１および第２の側壁は、前記第１のスライダが前記複数のトラックに沿って移動されると前記雄型および雌型形状部を相互連結関係となるように係合させるために、前記閉端部へ向けてともに十分に近接するよう離間された内面を有する；
第１のスライダと、
（ｂ）  前記第１のスライダに解放可能に接続された第２のスライダであって、前記第２のスライダは、第１の端部および第２の端部を備える本体を有しており；
（ｉ）  前記第２のスライダの本体は、上部部材と、それから延出する第１および第２の側壁と、を含み；
（Ａ）  前記第２のスライダの本体は、前記複数のトラックに跨る前記第１および第２の側壁とともに、前記複数のトラックの上縁部に沿って移動するよう構成されており；
（ｉｉ）  前記第２のスライダの第１および第２の側壁は、前記第２のスライダが前記複数のトラックに沿って移動されると前記雄型および雌型形状部を相互連結関係となるように係合させるために、ともに十分に近接するよう離間された内面を有する；
第２のスライダと、
を備えており、
（ｃ）  前記第１のスライダおよび前記第２のスライダは、係合ポジションと係合解除ポジションとの間でともに選択的に解放可能に接続されており；
（ｉ）  前記係合ポジションでは、前記第１および第２のスライダは前記複数のトラックの前記上縁部に沿って互いに移動し、かつ前記第１のスライダの本体の開端部は前記第２のスライダの本体の前記第１の端部に接触し；
（ｉｉ）  前記係合解除ポジションでは、前記第１および第２のスライダは前記複数のトラックの前記上縁部に沿って互いから独立して移動し、少なくとも前記第１のスライダは、前記第２のスライダとは独立して、前記雄型及び前記雌型形状部を分離及び相互連結の両方に作動し；
（ｉｉｉ）前記第１および第２のスライダは、それらの間に選択的に解除可能な接続を実現するために突出−受容構造を含み、前記突出―受容構造は、前記第１の側壁と前記第２の側壁とに設けられる受容部または偏向可能な舌状部を含み、
（ｉｖ）前記受容部は、前記第１のスライダの前記第１の側壁および前記第２のスライダの前記第２の側壁に設けられる凹部で構成され、前記偏向可能な舌状部は、前記第１のスライダの前記第２の側壁および前記第２のスライダの前記第１の側壁に設けられる突出部で構成され、
（ｖ）前記凹部と前記突出部とは、前記突出部が前記凹部に受容された際に、前記第１のスライダの前記第１の側壁と前記第２のスライダの前記第１の側壁とが面一となるように構成され、前記第１のスライダの前記第２の側壁と前記第２のスライダの前記第２の側壁とが面一となるように構成されている
ことを特徴とするダブルスライダ。
【請求項５】
（ａ）  前記第１のスライダおよび第２のスライダは、それらの間に選択的に解除可能な接続を実現するために突出−受容構造を有することを特徴とする請求項４に記載のダブルスライダ。
【請求項６】
開放および再閉鎖可能な開口を有するジッパー付きプラスチック製のバッグであって、
前記バッグは；
（ａ）  前記開口を形成する上部と、底部と、第１および第２の対向する側部と、を各々が有する第１および第２のパネルと；
（ｂ）  前記開口を閉鎖するよう相互連結するためかつ前記開口を開放するよう連結解除するための、前記第１のパネルおよび前記第２のパネルの上部付近におけるジッパークロージャと；
（ｃ）  前記ジッパークロージャに配置される第１のスライダであって、前記第１のスライダは、前記雄型および雌型トラックに沿って移動することによって、前記開口の開閉時に、前記ジッパークロージャと協働する、第１のスライダと；
（ｄ）  前記ジッパークロージャに配置される第２のスライダであって、前記第２のスライダは、前記ジッパークロージャに沿って移動することによって、前記開口を少なくとも閉鎖する時に、前記ジッパークロージャと協働する、第２のスライダと；
を備え、
（ｉ）  前記第１のスライダおよび第２のスライダは、前記第１のスライダおよび前記第２のスライダの少なくとも一方が前記第１のスライダおよび前記第２のスライダの他方へ向かう方向に移動される場合に前記ジッパークロージャが相互連結され；かつ、前記第１のスライダおよび前記第２のスライダの一方が前記第１のスライダおよび前記第２のスライダの他方から離れる方向に移動される場合に前記ジッパークロージャが連結解除されるよう、前記ジッパークロージャ上に配向されており、
前記第１のスライダおよび第２のスライダはともに取り外し可能に接続され、
前記第１のスライダおよび第２のスライダは、それらの間に選択的に解除可能な接続を実現するために突出−受容構造を含み、
前記第１のスライダおよび第２のスライダの各々は、上部部材と、それから延出する第１および第２の側壁と、を含む本体を備え、
前記突出―受容構造は、前記第１の側壁と前記第２の側壁とに設けられる受容部または偏向可能な舌状部を含み、
前記受容部は、前記第１のスライダの前記第１の側壁および前記第２のスライダの前記第２の側壁に設けられる凹部で構成され、
前記偏向可能な舌状部は、前記第１のスライダの前記第２の側壁および前記第２のスライダの前記第１の側壁に設けられる突出部で構成され、
前記凹部と前記突出部とは、前記突出部が前記凹部に受容された際に、前記第１のスライダの前記第１の側壁と前記第２のスライダの前記第１の側壁とが面一となるように構成され、前記第１のスライダの前記第２の側壁と前記第２のスライダの前記第２の側壁とが面一となるように構成されている
ことを特徴とするジッパー付きプラスチックバッグ。
【請求項７】
（ａ）  前記第１のスライダおよび第２のスライダは、それらの間に選択的に解除可能な接続を実現するために突出−受容構造を有することを特徴とする請求項６に記載のジッパー付きプラスチックバッグ。
【請求項８】
開放可能かつ再閉鎖可能な開口を有するジッパー付きプラスチックバッグを作動する方法であって、前記方法は：
（ａ）  前記開口を形成する上部と底部と第１および第２の対向する側部とを各々が有する第１および第２のパネルと；前記開口を閉鎖するよう相互連結するためかつ前記開口を開放するよう連結解除するために前記第１のパネルおよび前記第２のパネルの前記上部に近接されたジッパークロージャと；前記ジッパークロージャ上に配置された第１のスライダと；前記ジッパークロージャ上に配置された第２のスライダと；を有するジッパー付きプラスチックバッグを提供するステップと；
（ｂ）  前記第１のスライダおよび第２のスライダの少なくとも一方を前記第１のスライダおよび第２のスライダの他方から離れる方向に移動させることによる前記ジッパークロージャの連結解除によって前記開口を開放するステップと；
（ｃ）  前記第１のスライダおよび第２のスライダの少なくとも一方を前記第１のスライダおよび第２のスライダの他方へ向かう方向に移動させることによる前記ジッパークロージャの相互連結によって前記開口を閉鎖するステップと；
を含み、
前記ジッパークロージャの連結解除によって前記開口を開放するステップは、前記第１のスライダと前記第２のスライダの接続の解除を含み、
前記第１のスライダおよび第２のスライダは、それらの間に選択的に解除可能な接続を実現するために突出−受容構造を含み、
前記第１のスライダおよび第２のスライダの各々は、上部部材と、それから延出する第１および第２の側壁と、を含む本体を備え、
前記突出―受容構造は、前記第１の側壁と前記第２の側壁とに設けられる受容部または偏向可能な舌状部を含み、
前記受容部は、前記第１のスライダの前記第１の側壁および前記第２のスライダの前記第２の側壁に設けられる凹部で構成され、
前記偏向可能な舌状部は、前記第１のスライダの前記第２の側壁および前記第２のスライダの前記第１の側壁に設けられる突出部で構成され、
前記凹部と前記突出部とは、前記突出部が前記凹部に受容された際に、前記第１のスライダの前記第１の側壁と前記第２のスライダの前記第１の側壁とが面一となるように構成され、前記第１のスライダの前記第２の側壁と前記第２のスライダの前記第２の側壁とが面一となるように構成されている
ことを特徴とする方法。
【発明の詳細な説明】
【技術分野】
【０００１】
本出願は、ＰＣＴ国際特許出願として２０１４年３月１１日付で出願されており、２０１３年３月１５日付で出願された米国仮出願番号６１／７９２，３８４および２０１４年３月１０日付で出願された米国特許出願番号１４／２０２，７０４に基づく優先権を主張しており、その参照によりそれらの開示全体が本明細書に組み込まれる。
【０００２】
本開示は再閉鎖可能なジッパー付きポーチに関するものである。より詳細には、本開示は子供にとって安全な再閉鎖可能なジッパー付きポーチに関するものである。
【背景技術】
【０００３】
スライダで作動されるジッパークロージャを有する再閉鎖可能なポーチは、子供も大人も容易に開けることができる。ポーチが潜在的に危険な内容物を保持するよう意図された場合には、大人や高齢者は容易に開けられるが子供にとってはポーチを開けることがより困難なクロージャおよび方法を提供することが必要とされている。
【発明の概要】
【課題を解決するための手段】
【０００４】
一態様では、本開示は、子供にとって安全な、２つの可動スライダを有するスライダジッパークロージャシステムを提供する。
【０００５】
これらスライダは、互いに物理的に連結でき、単一ユニットとして摺動できる。
【０００６】
２つのスライダは、一方から他方を物理的に解放でき、個々に摺動できる。
【０００７】
これらスライダが連結されている場合、連結されたスライダがどのような方向（任意の方向）に摺動されてもジッパークロージャは閉じられたままとなる。
【０００８】
スライダが互いから解放された場合、ジッパークロージャは、一方または両方のスライダを互いに反対方向に移動させることによって、開放可能となる。
【０００９】
２つのスライダは、これらスライダ間において選択的に解除可能な接続を実現するために突出−受容構造を含んでもよい。
【００１０】
いくつかの態様では、突出−受容構造は、２つのスライダの一方から延出する突起を備えるタブと、２つのスライダの他方において該突起を受容するサイズになされた開口と、を含む。
【００１１】
いくつかの態様では、突出−受容構造は、２つのスライダの一方から延出するローブ形状突出部と、該ローブ形状突出部と２つのスライダの他方を受容するサイズになされた開口と、を含む。
【００１２】
いくつかの態様では、２つのスライダの各々が突出部および受容部の両方を有する。
【００１３】
いくつかの態様では、２つのスライダの各々は、上方部材と、該上方部材から延出する一対の側壁と、を有する。突出−受容構造は、側壁の１つによって規定される受容部または偏向可能な舌状部の少なくとも１つを含む。
【００１４】
別の態様によれば、本開示は、２つの可動スライダを有する子供にとって安全なスライダジッパークロージャシステムを備えるフレキシブルパッケージを提供する。
【００１５】
このパッケージでは、２つのスライダは、物理的に互いに連結可能であり、単一ユニットとして摺動できる。
【００１６】
このパッケージでは、２つのスライダは、互いから物理的に解放可能であり、個々に摺動できる。
【００１７】
このパッケージでは、スライダが連結されている場合、ジッパークロージャが閉じられたまま、連結されたスライダを任意の方向に摺動できる。
【００１８】
このパッケージでは、スライダが互いから解放されると、ジッパークロージャは、一方または両方のスライダを互いに反対方向に移動させることによって開放できる。
【００１９】
別の態様では、相互連結する雄型および雌型形状部を備える雄型トラックおよび雌型トラックを有するプラスチックジッパークロージャのためのダブルスライダが提供される。ダブルスライダは、開端部と閉端部とを備える本体を有する第１のスライダを含む。本体は、上部部材と、該上部部材から延出する第１および第２の側壁と、を含む。第１のスライダは、第１および第２の側壁の間で上部部材の内面から垂下する分離フィンガを有する。分離フィンガは、第１のスライダの閉端部におけるよりも第１のスライダの開端部へ向けて幅が広くなっており、フィンガの幅広端部によって雄型形状部と雌型形状部との分離が可能となる。第１および第２の側壁は、第１のスライダをトラックに沿って移動する際に雄型および雌型形状部を相互連結関係となるように係合するために、閉端部へ向けて互いに十分に近接するよう離間された内面を有する。第２のスライダは、第１のスライダと解放可能に接続されており、第１の端部と第２の端部とを備える本体を有する。第２のスライダの本体は、上部部材と、上部部材から延出する第１および第２の側壁とを有する。第２のスライダの第１および第２の側壁は、第２のスライダをトラックに沿って移動する場合に雄型および雌型形状部を相互連結関係となるように係合するために、互いに十分に近接するよう離間された内面を有する。第１のスライダおよび第２のスライダは、係合ポジションと係合解除ポジションとの間で選択的に解放可能に互いに接続されている。係合ポジションでは、第１および第２のスライダは、トラックの上縁部に沿ってともに移動し、第１のスライダ本体の開端部が第２のスライダ本体の第１の端部と接触している。係合解除ポジションでは、第１および第２のスライダは、トラックの上縁部に沿って互いに独立して移動する。
【００２０】
第１のスライダおよび第２のスライダは、これらスライダ間の選択的に解除可能な接続を可能にするために突出−受容構造を有することができる。
【００２１】
いくつかの態様では、突出−受容構造は、第１および第２のスライダの一方から延出する突起を備えるタブと、第１および第２のスライダの他方において該突起を受容するサイズになされた開口と、を含むことができる。
【００２２】
いくつかの態様では、突出−受容構造は、第１および第２のスライダの一方から延出するローブ形状突出部と、第１および第２のスライダの他方において該ローブ形状突出部を受容するサイズになされた開口と、を含むことができる。
【００２３】
いくつかの態様では、第１のスライダおよび第２のスライダの各々が突出部および受容部の両方を有する。
【００２４】
いくつかの態様では、突出−受容構造は、側壁の一方によって規定される受容部または偏向可能な舌状部の少なくとも１つを含む。
【００２５】
いくつかの態様では、第２のスライダは、第１および第２の側壁の間において上部部材の内面から垂下する分離フィンガを有する。第２のスライダ本体は、トラックの上縁部に沿って、これらトラックに跨る第１および第２の側壁とこれらトラック間に配置されたフィンガとともに移動するよう構成される。第２のスライダの分離フィンガは、第２のスライダの第２の端部におけるよりも第２のスライダの第１の端部へ向けて幅広となっている。
【００２６】
いくつかの態様では第２のスライダは分離フィンガを有しておらず、第２のスライダをトラックに沿って移動する際に雄型および雌型形状部を相互連結関係となるように係合するよう作動する。
【００２７】
いくつかの態様では、突出−受容構造は、第１および第２のスライダの少なくとも一方における連結ショルダを有する少なくとも１つの偏向可能な舌状部と、偏向可能な舌状部を受容して連結ショルダおよびキャッチを係合させるようなサイズになされた、第１のスライダおよび第２のスライダの他方によって規定されるキャッチを備えるキャビティと、を含む。
【００２８】
いくつかの態様では、少なくとも１つの偏向可能な舌状部は、第１のスライダにおいて第１および第２の偏向可能な舌状部を含む。第１および第２の偏向可能な舌状部は、第１のスライダを通る長手方向軸線へ向けてかつ互いへ向けて、かつ第１のスライダを通る長手方向軸線からかつ互いから離れるように、偏向できる。第２のスライダは、第１の舌状部および第２の舌状部を係合するためにキャビティと少なくとも第１のキャッチおよび第２のキャッチとを規定する。
【００２９】
いくつかの態様では、少なくとも１つの偏向可能な舌状部は第１のスライダの上部部材から突出しており、キャッチは第２のスライダの上部部材によって規定される。
【００３０】
いくつかの態様では、突出−受容構造は、第１および第２のスライダの側壁の少なくとも１つから突出する少なくとも１つのタブを含み、第１および第２のスライダの他方は、タブを受容するサイズになされた側壁の一方によって規定される少なくとも１つの受容部を有する。
【００３１】
別の態様では、ジッパー付きプラスチックバッグが提供される。バッグは第１および第２の対向するパネルを含み、これらパネルの各々が、開口を形成する上部と、底部と、第１および第２の側部と、を有する。ジッパークロージャは、開口を閉じるよう相互連結するためかつ開口を開けるよう連結解除するために、第１および第２のパネルの上部の付近に配置される。第１のスライダは、ジッパークロージャに配置されており、雄型および雌型トラックに沿って移動することによって、開口の開閉時にジッパークロージャと協働する。第２のスライダは、ジッパークロージャ上に配置されており、ジッパークロージャに沿って移動することによってジッパークロージャと協働して、前記開口を少なくとも閉鎖する。第１のスライダおよび第２のスライダは、第１および第２のスライダの少なくとも１つが第１および第２のスライダの他方へ向かう方向に移動する場合にジッパークロージャが相互連結するように、ジッパークロージャ上に配向される。第１および第２のスライダの少なくとも一方が第１および第２のスライダの他方から離れる方向に移動される場合にジッパークロージャは連結解除される。
【００３２】
いくつかの態様では、ジッパー付きプラスチックバッグのための第１および第２のスライダは互いに解放可能に接続されている。
【００３３】
いくつかの態様では、第１のスライダおよび第２のスライダは、これらスライダ間に選択的に解除可能な接続を実現するために突出−受容構造を有する。
【００３４】
いくつかの例では、突出−受容構造の少なくとも１つの部材が第１のスライダであり、突出−受容構造の少なくとも１つの部材が第２のスライダである。
【００３５】
いくつかの例では、突出−受容構造は、第１および第２のスライダの一方から延出する突起を備えるタブと、第１および第２のスライダの他方において前記突起を受容するサイズを有する開口と、を含む。
【００３６】
いくつかの例では、突出−受容構造は、第１および第２のスライダの一方から延出するローブ形状突出部と、第１および第２のスライダの他方における、ローブ形状部を受容するサイズを有する開口と、を含む。
【００３７】
いくつかの例では、第１のスライダおよび第２のスライダの各々は突出部および受容部の両方を有する。
【００３８】
いくつかの態様では、第１および第２のスライダの各々が開端部と閉端部とを有する。第１のスライダの開端部は、第２のスライダの閉端部よりも第２のスライダの開端部に近接している。
【００３９】
いくつかの態様では、第２のスライダは、分離フィンガを備えておらず、開口を閉じるようにしか作動しない。
【００４０】
いくつかの例では、第１のスライダおよび第２のスライダの各々は、上部部材と、該上部部材から延出する一対の側壁と、を有する。突出−受容構造は、前記側壁の一方によって規定される受容部または偏向可能な舌状部の少なくとも一方を含む。
【００４１】
いくつかの例では、第１のスライダおよび第２のスライダは、第１のスライダおよび第２のスライダが第１のスライダおよび第２のスライダの他方から離れる方向に移動する場合にジッパークロージャが第１のスライダおよび第２のスライダの両方によって相互連結されるように構成配置されている。
【００４２】
いくつかの態様では、突出−受容構造は、第１のスライダおよび第２のスライダの少なくとも一方において連結ショルダを有する少なくとも１つの偏向可能な舌状部と、第１のスライダおよび第２のスライダの他方によって規定されるキャッチを備えるキャビティと、を含み、キャビティは、偏向可能な舌状部を受容するとともに連結ショルダとキャッチとを係合するようなサイズになされる。
【００４３】
いくつかの態様では、突出−受容構造は、第１および第２のスライダの側壁の少なくとも１つから突出する少なくとも１つのタブを含み、第１および第２のスライダの他方は、タブを受容するようなサイズになされた、側壁の１つによって規定された少なくとも１つの受容部を有する。
【００４４】
別の態様では、開放および再閉鎖可能な開口を有するジッパー付きプラスチックバッグを扱う方法が提供される。この方法は、開口を形成する上部と底部と互いに接合される第１および第２の対向する側壁とを各々が有する第１および第２のパネルを有するジッパー付きプラスチックバッグを提供するステップを含む。ジッパークロージャは、開口を閉めるよう相互連結するためかつ開口を開けるよう連結解除するために、第１のパネルおよび第２のパネルの上部付近に配置されている。第１のスライダはジッパークロージャ上に配置されており、第２のスライダはジッパークロージャ上に配置される。この方法は、第１のスライダおよび第２のスライダの少なくとも一方を第１のスライダおよび第２のスライダの他方から離れるように移動させることによるジッパークロージャの連結解除によって開口を開放するステップを含む。
【００４５】
上記方法は、第１のスライダおよび第２のスライダの少なくとも一方を第１のスライダおよび第２のスライダの他方へ向けて移動させることによるジッパークロージャの相互連結によって前記開口を閉鎖するステップを含むことができる。
【００４６】
ジッパークロージャの連結解除によって開口を開放するステップは、第１のスライダおよび第２のスライダの間の接続を解除するステップを含むことができる。
【００４７】
第１のスライダおよび第２のスライダ間の接続を解除するステップは、第１のスライダにおける突出部を第２のスライダにおける受容部から解放するステップを含んでもよい。
【００４８】
第１のスライダにおける突出部を第２のスライダにおける受容部から解放するステップは、第２のスライダの側壁によって規定される受容部から突出部を解放するステップを含むことができる。
【００４９】
第１のスライダにおける突出部を第２のスライダにおける受容部から解放するステップは、第２のスライダによって規定されるキャビティから第１のスライダにおける偏向可能な舌状部を解放するステップを含むことができる。
【００５０】
所望の製品特徴および方法のさまざまな例が部分的に以下の開示で説明されるが、一部がその説明から明らかとなり一部がこの開示のさまざまな態様を実施することによって明らかとなろう。本開示の態様は個々の特徴およびそれら特徴の組み合わせに関連し得る。上述の概略的な説明および以下の詳細な説明の両方が単なる例示であり、本発明の範囲を制限するものではないことを理解されたい。
【図面の簡単な説明】
【００５１】
【図１】本開示の原理に基づいて構成された、係合解除ポジションにあるファスナおよびダブルスライダを有する熱可塑性バッグの斜視図である。
【図２】組み立てポジションにある図１のファスナとスライダの一方との拡大斜視図である。
【図３】図２の線３−３におおむね沿った断面図である。
【図４】ダブルスライダが係合ポジションにある、図１〜３のファスナで使用可能な、ダブルスライダの例示的な実施形態の概略斜視図である。
【図５】図４のスライダの一方の概略斜視図である。
【図６】図４のスライダの一方の概略斜視図である。
【図７】ダブルスライダが係合解除状態にある、図１〜図３のファスナに使用可能な、ダブルスライダの別の例示的な実施形態の概略斜視図である。
【図８】ダブルスライダが係合解除ポジションにある、図１〜図３のファスナに使用可能な、ダブルスライダの別の例示的な実施形態の概略斜視図である。
【図９】ダブルスライダが係合解除ポジションにある、図１〜図３のファスナに使用可能な、ダブルスライダの別の例示的な実施形態の概略斜視図である。
【図１０】係合ポジションにある図９のダブルスライダの斜視図である。
【図１１】図１０の係合されたダブルスライダの側面図である。
【図１２】図１０および図１１のダブルスライダの、図１１の線１２−１２に沿った断面図である。
【図１３】図１４のダブルスライダの端面図である。
【図１４】図９〜図１２のダブルスライダの、スライダの一方の斜視図である。
【図１５】図１６のスライダの端面図である。
【図１６】図９〜図１２のダブルスライダの、第２のスライダ斜視図である。
【図１７】ダブルスライダが係合ポジションにある、図１〜図３のファスナに使用可能案、ダブルスライダの別の実施形態を示す斜視図である。
【図１８】図１７のダブルスライダの別の斜視図である。
【図１９】図１７および図１８のダブルスライダに使用されるスライダのうちの一方の斜視図である。
【図２０】図１９のスライダの端面図である。
【図２１】図１７および図１８のダブルスライダに使用されるスライダの別のスライダの斜視図である。
【図２２】図２１のスライダの端面図である。
【図２３】図２７および図２８のダブルスライダで使用されるスライダの別の実施形態の斜視図である。
【図２４】図２３のスライダと係合可能であるとともに図２７および図２８のダブルスライダで使用される、スライダの別の実施形態の斜視図である。
【図２５】図２４のスライダの端面図である。
【図２６】図２３のスライダの端面図である。
【図２７】ダブルスライダが係合ポジションにある、図１〜図３のファスナに使用可能な、図２３〜図２６のスライダを利用するダブルスライダの例示的な実施形態の側面図である。
【図２８】図２７の線２８−２８に沿った、図２７のダブルスライダの断面図である。
【図２９】係合解除ポジションにある図２７および図２８のダブルスライダの斜視図である。
【図３０】ダブルスライダが係合ポジションにある、図１〜図３のファスナに使用可能なダブルスライダの別の例の斜視図である。
【図３１】図３０のダブルスライダの上面図である。
【図３２】図３１の線３２−３２に沿った、図３０および図３１のダブルスライダの断面図である。
【図３３】図３０および図３２のダブルスライダに使用されるスライダのうちの一方の斜視図である。
【図３４】図３３のスライダの端面図である。
【図３５】図３３のスライダの別の斜視図である。
【図３６】図３３〜図３５のスライダと係合する、図３０〜図３２のスライダの別の斜視図である。
【図３７】図３６のスライダの端面図である。
【図３８】ダブルスライダが係合解除ポジションにある、図１〜図３のファスナに使用可能なダブルスライダの別の例示的な実施形態の概略斜視図である。
【図３９】係合解除ポジションにある図３８のダブルスライダの別の斜視図である。
【図４０】係合ポジションにある図３８および図３９のダブルスライダの斜視図である。
【図４１】図４０の係合したダブルスライダの側面図である。
【図４２】図４１の線４２−４２に沿った、図４０および図４１のダブルスライダの断面図である。
【図４３】ダブルスライダが係合ポジションにある、図１〜図３のファスナに使用可能な、ダブルスライダの別の例示の斜視図である。
【図４４】図４３のダブルスライダの別の斜視図である。
【図４５】図４３および図４４のダブルスライダの側面図である。
【図４６】図４５の線４６−４６沿った、図４３−４５のダブルスライダの断面図である。
【図４７】図４３〜図４６のダブルスライダのスライダのうち一方の斜視図である。
【図４８】図４７のスライダの上面図である。
【図４９】図４７のスライダの端面図である。
【図５０】図４７〜図４９のスライダと係合可能な、図４３〜図４６のダブルスライダのスライダのうち別のスライダの斜視図である。
【図５１】図５０のスライダの端面図である。
【図５２】図３８〜図４２のダブルスライダの断面における、スライダの一方の上面図である。
【図５３】図５２のダブルスライダの側面図である。
【図５４】図４１の線５４−５４に沿った、図４０〜図４２の係合したダブルスライダの断面図である。
【図５５】図３８〜図４２および図５２〜図５４のダブルスライダのスライダの一方の側面図である。
【発明を実施するための形態】
【００５２】
Ａ．図１〜図８
図１を参照すると、プラスチックダブルスライダ１００および形状付けられたプラスチックファスナまたはジッパークロージャ１１が図示される。ダブルスライダ１００は、選択的に係合（つまり接続）あるいは係合解除（つまり接続解除）が可能な第１のスライダ１０と第２のスライダ１０’とを含む。
【００５３】
第１のスライダ１０は、図２では熱可塑性バッグまたはパッケージＢの上縁部または開口４０に組み付けられた状態で図示される。明らかなように、第１のスライダ１０および第２のスライダ１０’は同じ内部構造を有しており、かつ同じ様式で反対方向にバッグＢを開閉する。そのため第１のスライダの１０についての説明は第２のスライダ１０’についての説明にもなる。
【００５４】
例示的な実施形態では、バッグＢ（図１および図３に図示される）は、折り重ねられる１つのフレキシブルなプラスチックシートから形成され、かつ第１および第２の対向する本体パネル２５および２６を備える。本体パネル２５および２６は、一対の側部２８および３０と該側部２８および３０の間に延在する底部３２とに沿って互いに固定状態で接続される。バッグＢは好ましくは、バッグＢの底部３２の反対側に形成される開口に沿って延在し雄型トラック１２および雌型トラック１３を有するジッパークロージャ１１を有しており、該ジッパークロージャ１１は雄型トラック１２および雌型トラック１３を有する。
【００５５】
図２および図３に図示されるように、トラック１２および１３は、個々のトラックにおいてリブおよび溝要素の形態でトラックの長さにわたって延在する相互連結する雄型および雌型形状部１４および１５を有する。トラック１２および１３はフィンとは別々に押出加工されてバッグの開口４０の個々の側部に取り付けられてもよく、あるいはバッグの開口４０の側部と一体的に押出加工されてもよい。トラック１２および１３が別々に押出し加工される場合、これらトラック１２および１３は、トラックに組み込まれて、バッグの開口４０にヒートシールされる個々の第１および第２のフィン１６を用いて最も効果的に取り付けられる。雄型および雌型形状部１４および１５は、相補的な断面形状を有しており、かつそれら要素の底部をともに押圧してこれら要素をその上部へ向けて閉ポジションへ回転させることによって、閉じられる。相互連結する雄型および雌型形状部１４および１５の断面形状は米国特許第５，００７，１４３号明細書（この参照により本明細書に組み込まれる）に開示される。
【００５６】
図２には第１のスライダ１０のみが図示される。第１のスライダ１０は、バッグＢの上部においてジッパークロージャ１１を跨いでおり、ジッパークロージャ１１の相互連結トラック１２および１３を開閉するよう構成されている。第１のスライダ１０および第２のスライダ１０’は、例えばナイロン（登録商標）、ポリプロピレン、ポリエチレン、ポリスチレン、デルリンまたはＡＢＳなどの適切なプラスチックから成形されてもよい。こうした例における第１のスライダ１０および第２のスライダ１０’は米国特許第６，３７６，０３５号明細書（この参照により本明細書に組み込まれる）に開示されている。
【００５７】
図２に図示される例示的な実施形態において、第１のスライダ１０は、横方向支持部材または本体１７を含む逆Ｕ字形状の部材を備えており、それから分離フィンガが下方に延在する。本体１７はそれ自体がＵ字形状をなしており、かつ下方に延在する２つの一体的な脚１９を含む。フィンガ１８は脚１９の間に配置される。本体はさらに対向する側壁２０，２１を含み、側壁の各々が内側に延在するショルダ構造２２を有する。本体１７は、トラック１２および１３に跨る脚１９とトラック１２および１３の間に位置決めされるフィンガ１８とともに、トラック１２および１３の上縁部に沿って移動するよう構成されている。ショルダ構造２２は、トラック１２および１３の縁部から第１のスライダ１０が持ち上がることを防止するようジッパークロージャ１１の底部と係合すると一方で、第１のスライダ１０は、ジッパークロージャ１１に跨っている。
【００５８】
第１のスライダ１０は開端部５０と閉端部５２とを有する。主要スライダ本体１７および分離フィンガ１８は閉端部５２におけるよりも開端部５０へ向けて幅広であることに留意されたい。同様に側壁２０および２１と脚１９とは、トラック１２および１３と係合するフィンガ１８によって雄型および雌型形状部１４および１５の分離を可能にするように、第１のスライダ１０の開端部５０においてあるいは開端部５０付近でもしくは開端部５０へ向けてより幅広となるように離間されている内面を有する。側壁２０および２１と脚１９とは、第１のスライダ１０がファスナ閉鎖方向に移動される際に雄型および雌型形状部１４および１５を相互連結関係となるように押圧するか係合するように、第１のスライダ１０の閉端部５２においてまたは閉端部５２付近でもしくは閉端部５２へ向けて、互いに十分に近接するように離間された内面を有する。多くの実施形態が利用可能であり、第１のスライダ１０の外面が、スライダ１０の作動に影響を及ぼさない限りどのような構造も採用できることを理解されたい。
【００５９】
この例示的な実施形態では、ジッパークロージャ１１の両端部には末端クリップ２３（図１）が設けられている。端部クリップ２３の各々は、ジッパークロージャ１１の上部を覆うストラップ部材を備える。
【００６０】
上述のように、第１のスライダ１０および第２のスライダ１０’は同じ内部構造を有しており、これらスライダは、同じ様式で反対方向にバッグを開閉するよう作動する。そのため図１を再度参照すると、第１のスライダ１０および第２のスライダ１０’は、第１のスライダ１０および第２のスライダ１０’の少なくとも一方が第１のスライダ１０および第２のスライダ１０’の他方へ向かう方向に移動される場合にジッパークロージャ１１が相互連結して開口４０を閉鎖するように、ジッパークロージャ１１上に配向されることが理解されるだろう。第１のスライダ１０および第２のスライダ１０’の少なくとも一方が第１のスライダ１０および第２のスライダ１０’の他方から離れる方向に移動される際にはジッパークロージャ１１は連結解除され、開口４０が開放される。
【００６１】
図１に図示される例では、第１のスライダが側部３０へ向かう方向へ移動させられて第２のスライダ１０’から離れる場合、第２のスライダ１０’と第１のスライダ１０との間のジッパークロージャ１１は連結解除され、その区間では開口４０が開放される。第１のスライダ１０が側部３０から離れて第２のスライダ１０’へ向けてそして側部２８へ向かう方向に移動させられる場合、ジッパークロージャ１１は相互連結され、ジッパークロージャ１１のうちの第１のスライダ１０と側部３０との間の区間では開口が閉じられる。
【００６２】
同様に、第２のスライダ１０’が側部２８へ向かう方向へ移動させられて第１のスライダ１０から離れる場合、第１のスライダ１０と第２のスライダ１０’との間のジッパークロージャ１１は連結解除されて、その区間において開口４０が開放される。第２のスライダ１０’が側部３０および第１のスライダ１０へ向けて移動させられた場合、側部２８と第２のスライダ１０’との間のジッパークロージャ１１が閉じられる。
【００６３】
図１に見られるように、第１のスライダ１０および第２のスライダ１０’は、第１のスライダ１０および第２のスライダ１０’が互いに隣り合って係合状態となる場合に第１のスライダ１０の開端部５０と第２のスライダ１０’の開端部５０とが互いに隣接するように、互いに対してジッパークロージャ１１上で配向されている。第１のスライダ１０の開端部５０が、第２のスライダ１０’の閉端部５２よりも、第２のスライダ１０’の開端部５０により近接していることが理解されよう。同様に、第２のスライダ１０’の開端部５０は、第１のスライダ１０の閉端部５２よりも、第１のスライダ１０の開端部５０に近接している。
【００６４】
第１のスライダ１０および第２のスライダ１０’が互いに直接隣接してそれらの閉端部５０が互いに接触した場合に、当然のことながら、第１のスライダ１０および第２のスライダ１０’がジッパークロージャ１１に沿ってともに移動すると、ジッパークロージャ１１は相互連結されたままとなり、ジッパークロージャ１１のうち各々の閉端部５２と側部２８，３０の間にあるセクション１０２，１０４において開口４０は閉じられたままとなる。図１に図示される例では、セクション１０２は、第１のスライダ１０の閉端部と側部３０との間で閉じられたままであると同時に、セクション１０４は、第２のスライダ１０’の閉端部５２と側部２８との間で閉じられたままである。図１に図示される例では、開口４０おける開放部を提供するよう連結解除されるジッパークロージャ１１のセクション１０６がある。セクション１０６は、第１のスライダ１０の開端部５０と第２のスライダ１０’の開端部５０との間の区域である。
【００６５】
本開示の原理によれば、第１のスライダ１０および第２のスライダ１０’は、係合ポジションと係合解除ポジションとの間で互いに選択的に解除可能に接続できる。係合ポジションでは、第１および第２のスライダ１０，１０’がトラック１２，１３の上縁部に沿って互いに移動する。係合解除ポジションでは、第１および第２のスライダ１０、１０’は、トラック１２，１３の上縁部に沿って互いに独立して移動する。スライダ１０、１０’がともに係合して移動する場合、ジッパークロージャ１１は相互連結されたままとなり、ジッパークロージャ１１のうち閉端部５２と側部２８，３０との間にあるセクション１０２，１０４では開口４０は閉じられている。これは、ジッパークロージャ１１の連結解除や開口４０の開放には第１および第２のスライダ１０，１０’を分離または係合解除して互いから離れるように移動させる必要があることを子供が容易に理解し得ないような、開口４０を開放するための子供にとって安全な特徴部として機能することができる。
【００６６】
図４〜図８には、第１のスライダ１０および第２のスライダ１０’の間に解除可能な接続を実現するための係合構造の例示的な実施形態を示す。図４〜図８に図示される例はそれぞれ、第１のスライダ１０および第２のスライダ１０’に関して説明したように機能し得る第１および第２のスライダを含むダブルスライダ１００である。当然のことながら代替的なものも使用可能である。
【００６７】
概して第１のスライダおよび第２のスライダ１０’の間の解除可能な接続は、突出−受容構造１１０とすることができる。突出−受容構造１１０は、第１のスライダ１０および第２のスライダ１０’との間に選択的に解除可能な接続を実現できる。突出−受容構造１１０は、少なくとも１つの突出部１１２と１つの受容部１１４とを含む。突出部１１２は第１のスライダ１０または第２のスライダ１０’のいずれに設けることもできる。同様に受容部１１４も第１のスライダ１０または第２のスライダ１０’のいずれに設けることもできる。突出部１１２および受容部１１４は互いに相補的であり、受容部１４は、第１のスライダ１０および第２のスライダ１０’を動作可能に接続するようにかつさらに受容部１１４から受容部１１２を取り外すことによって選択的に接続解除できるように、突出部１１２を受容するようなサイズになされる。
【００６８】
図７の例示的な実施形態では、突出−受容構造１１０は第１のスライダ１２１上にタブ１２０を含む。図示される実施形態ではタブ１２０は基本的に第１のスライダ１２１の上部部材１２３から延在しており、かつ上部部材１２３の上部平面から引っ込んだところにある。タブ１２０は、タブ１２０から突出する突起１２４を有する。第２のスライダ１２２は、第２のスライダ１２２の上部部材１２６のすぐ下でタブ１２０を受容するようなサイズになされている。突起１２４を受容するよう配向された第２のスライダ１２２には開口１２８が設けられる。図示される実施形態では、開口１２８は上部部材１２６に設けられる。この様式では、タブ１２０は、第２のスライダ１２２の上部部材１２６の下方で第２のスライダ１２２によって受容され、そして突起１２４は開口１２８内に着脱可能に嵌合できる。
【００６９】
図８に図示された例では、突出−受容構造１１０は、第１のスライダ１３３から延出するローブ形状突出部１３２と、ローブ形状突出部１３２を受容するようなサイズになされた第２のスライダ１３５における開口１３４と、を含む。図示された例示的な実施形態では、ローブ形状突出部１３２は、第１のスライダ１３３の上部部材１３６から延出する。ローブ形状突出部１３２は、３つのローブを備えて図示されるが、当然のことながらローブ形状突出部１３２について多くの他の形状を使用することができる。開口１３４はこの実施形態では第２のスライダ１３５の上部部材１３７に設けられる。開口１３４はローブ形状突出部１３２の補足として形状付けられる。当然のことながら代替的なものも使用できる。
【００７０】
図４〜図６では第１のスライダが１４１で図示され第２のスライダは１４２で図示される。この実施形態では、第１のスライダ１４１および第２のスライダ１４２の各々が突出部１１２および受容部１１４の両方を有する。図５では、第１のスライダ１４１が、第１のスライダ１４１の一対の上部部材１４５として延出する突出部１４４を有するよう理解され得る。第１のスライダ１４１は上部部材１４５における突出部１４４に隣接する受容部１４６をさらに含む。図６では、第２のスライダ１４２は、第２のスライダ１４２の一対の上部部材１４９としての突出部１４８と、上部部材１４９によって規定される隣接受容部１５０と、を有する。第１のスライダ１４１の突出部１４４は受容部１５０によって受容されており、第２のスライダ１４２の突出部１４８は第１のスライダ１４１の受容部１４６によって受容される。
【００７１】
ジッパー付きバッグの作動方法にはこうした原理を適用できる。図１のバッグＢなどのバッグを提供できる。第１のスライダ１０および第２のスライダ１０’の少なくとも一方を第１のスライダ１０および第２のスライダ１０’他方から離れる方向に移動することによるジッパークロージャ１１の連結解除によって開口４０を開放するステップが含まれる。
【００７２】
第１のスライダ１０および第２のスライダ１０’の少なくとも一方を第１のスライダ１０および第２のスライダ１０’の他方へ向かう方向に移動させることによる前記ジッパークロージャ１１の相互連結によって開口４０を閉鎖するステップが含まれる。
【００７３】
開口４０を開放するステップは、第１のスライダ１０および第２のスライダ１０’の間の接続を解除するステップを含むことができる。いくつかの例では、こうした接続を解除するステップは、スライダ１０，１０’間の突出−受容構造の一部である受容部１４から突出部１２を取り外すステップを含むことができる。
【００７４】
Ｂ．実施例、ダブルスライダのさらなる実施形態、図９〜図５５
図９〜図５５はダブルスライダ１００のさらなる実施形態を図示する。上述の実施形態と類似する部分には共通の参照符号を使用する。スライダの各々は、本体１７と、上部部材５４と、該上部部材５４から垂下する第１および第２の側壁２０，２１とを有する。多くの実施形態が、ジッパークロージャ１１の雄型および雌型形状部１４，１５の分離を可能にするために分離フィンガ１８をさらに含む。
【００７５】
図９〜図５５のダブルスライダ１００は、ジッパークロージャ１１を有するバッグＢとともに使用できる。ジッパークロージャ１１は、バッグＢの開口に沿って延在しており（図１）、かつジッパークロージャ１１は雄型トラック１２および雌型トラック１３を有する。図３に関して説明したように、雄型および雌型形状部１４および１５は相補的な断面形状を有する。これら形状部は、まずこれら要素の底部をともに係合し続いてこれら要素をその上部へ向けて閉ポジションへ回転することによって、閉じられる。相互連結する雄型および雌型形状部１４および１５の断面形状は上述のように米国特許第５，００７，１４３号明細書および米国特許第８，０８７，８２６号明細書（この参照により本明細書に組み込まれる）で説明されている。
【００７６】
図９〜図５５のダブルスライダ１００はジッパークロージャ１１を開閉するために使用できる。上述のように、トラック１２および１３は、個々のトラックにおいてリブおよび溝要素の形態でトラックの長さにわたって延在する相互連結する雄型および雌型形状部１４および１５を有する。トラック１２および１３はさらに耳３４，３５を含んでもよい（図３）。フィンガ１８による雄型および雌型形状部１４および１５の分離は、トラック１２および１３と係合するフィンガ１８によって実施できる。いくつかの実施形態では、これは、耳３４，３５の間に係合しつつ形状部１４，１５を広げるフィンガ１８によって達成される。
【００７７】
上述のように、ダブルスライダ１００の２つのスライダは、突出−受容構造１１０を含むことができる。図１〜図８に関連して説明した構造に加えて、突出−受容構造１１０は、側壁２０，２１の一方によって規定される受容部または偏向可能な舌状部の少なくとも１つの含んでもよい。これら特徴は以下でより詳細に説明する。
【００７８】
１．図９〜図１６の実施形態
まず図９〜図１６の実施形態を参照すると、ダブルスライダ１００は、第１のスライダ２００および第２のスライダ２０２を含んで図示される。第１のスライダ２００および第２のスライダ２０２は、互いに選択的に連結されるとともにジッパークロージャ１１に沿って単一ユニットとして摺動するよう構成配置される。つまり第１のスライダ２００および第２のスライダ２０２は互いに連結されると、連結されたスライダ２００，２０２がジッパークロージャ１１に沿ってどのような方向に移動されてもジッパークロージャ１１は閉じられたままとなる。２つのスライダ２００，２０２が互いから解放されると、２つのスライダの一方または両方をジッパークロージャ１１に沿って互いに対して反対の方向に移動させることによって、ジッパークロージャ１１を開放できる。
【００７９】
図９〜図１６の実施形態では、突出−受容構造１１０は、側壁２０，２１の少なくとも一方によって規定される受容部２０４（図９）を含む。突出部２０６（図９）は、第１および第２のスライダ２００，２０２の他方の側壁２０，２１の一方から延在する。
【００８０】
図９〜図１６に図示される特定の実施形態では、第１のスライダ２００および第２のスライダ２０２の各々が突出部２０６および受容部２０４の両方を有する。多くの実施形態が使用可能である一方で、図９〜図１６に図示される実施形態では、受容部２０４は側壁２０，２１の一方によって規定される凹部２０８（図１３〜図１６）として規定される。第１のスライダ２００においては凹部２０８は側壁２０内にあり、一方で第２のスライダにおいては凹部２０８は側壁２１内にある。
【００８１】
凹部２０８は、タブ２１０として具体化された突出部２０６を受容するサイズになされている。図示された実施形態では、タブ２１０は凹部２０８を規定する側壁の反対側の側壁に設けられる。そのため第１のスライダ２００に関して、タブ２１０は、スライダ２００，２０２の両方がジッパークロージャ１１上に動作可能に位置決めされた際に、側壁２１から第２のスライダ２０２へ向けて延出または突出する。第２のスライダ２０２は、側壁２０から延出するタブ２１０を有する。タブ２１０は、第１のスライダ２００および第２のスライダ２０２の両方がジッパークロージャ１１上に動作可能に位置決めされる際に、第１のスライダ２００へ向かう方向に突出する。
【００８２】
図９〜図１６の実施形態では、突出−受容構造１１０は連結機構２１２（図１１）を含む。連結機構２１２は、第１のスライダ２００および第２のスライダ２０２をともに選択的に連結または固定可能にし、かつ互いから離れるように選択的に解放可能にする。この実施形態では、連結機構２１２は凹部２０８内で壁２１５から延出する突出部２１４と、タブ２１０によって規定される開口２１６と、を含む。
【００８３】
突出部２１４および開口２１６は、突出部２１４が第１のスライダ２００および第２のスライダ２０２をともに連結するのに十分に開口２１６内に嵌合するようなサイズになされている。
【００８４】
図１２には、連結機構２１２を介して互いに連結された第１のスライダ２００および第２のスライダ２０２を示す断面が図示される。図１２から明らかなように、第１のスライダ２００からのタブ２１０は、第２のスライダ２０２の凹部２０８内にあり、一方で第２のスライダ２０２からの突出部２１４はタブ２１０の開口２１６内に突出する。第２のスライダ２０２のタブ２１０は第１のスライダ２００の凹部２０８内に延在しており、一方で第１の２００の突出部２１４はタブ２１０によって規定される開口２１６内に延在するか突出する。
【００８５】
使用者が第１のスライダ２００および第２のスライダ２０２を解放しようと決めた場合、第１のスライダ２００および第２のスライダ２０２は、個々のタブ２１０を偏向させて個々の突出部２１４を個々の開口２１６から引っ張り出すように、引っ張って離間されるか捻られるかまたは互いに対して横方向に移動されてもよい。
【００８６】
代替的な実施形態では、第１および第２のスライダ２００，２０２の一方が各側壁２０，２１において両方のタブを有することができ、一方でスライダ２００，２０２の他方が各側壁２０，２１において個々の凹部２０８を有することができる。
【００８７】
２．図１７〜図２２の実施形態
図１７〜図２２にはダブルスライダ１００の別の実施形態を示す。図１７〜図２１の実施形態では、ダブルスライダ１００は第１のスライダ２２０および第２のスライダ２２２を含む。第１のスライダ２２０および第２のスライダ２２２は、ともに選択的に連結でき、かつジッパークロージャ１１に沿って単一ユニットとして摺動できる。
【００８８】
この実施形態では、第１のスライダ２２０のみが分離フィンガ１８を有する。図２１から明らかなように、分離フィンガ１８は、第２のスライダ２２２に係合して第２のスライダ２２２に係合して受容されるように所定の方向において第１のスライダ２２０の開端部５０から軸線方向に突出する。第１のスライダ２２０における分離フィンガ１８は、上部部材５４の内面５５から垂下しており、第１および第２の側壁２０，２１の間にある。
【００８９】
この実施形態における第２のスライダ２２２は第１および第２の側壁２０，２１を有しており、それらの内面は、第２のスライダ２２２がトラック１２，１３に沿って移動された際に、雄型および雌型形状部１４，１５を相互連結関係となるように押圧つまり係合するよう十分に近接して離間される。第２のスライダ２２２は分離フィンガを有しておらず、第２のスライダ２２２がクロージャ１１のトラック１２，１３に沿って移動される際に雄型および雌型形状部１４，１５を相互連結関係となるように押圧つまり係合させるためだけに作動する。
【００９０】
この実施形態では、第２のスライダ２２２は開端部および閉端部を有しておらず、第１の端部２４２と反対側の第２の端部２４３とを有する。第１の端部２４２は第１のスライダ２２０の開端部２４に対して係合する。
【００９１】
図１９および図２０から明らかなように、第２のスライダ２２２は、第１のスライダ２２０の突出フィンガ１８を受容するために上部部材５４の内面５５によって規定されたフィンガ受容キャビティ２４４を含む。
【００９２】
第１のスライダ２００および第２のスライダ２２２が互いに連結された場合、２つのスライダ２２０，２２２はジッパークロージャ１１に沿って単一ユニットとして摺動する。第１のスライダ２２０および第２のスライダ２２２が選択的に互いから解放されると、これらスライダは、ジッパークロージャ１１に沿って個別に独立して摺動できるが、第１のスライダ２２０のみがジッパークロージャ１１を開放するよう作動する。第１のスライダ２２０とは独立した第２のスライダ２２２の摺動はジッパークロージャ１１を開放しない。
【００９３】
図１７〜図２１のダブルスライダ１００を用いてジッパークロージャ１１を連結解除するため、第１のスライダ２２０および第２のスライダ２２２が互いから解放された後に、第１のスライダ２２０は第２のスライダ２２２から離れる方向に移動される。ジッパークロージャ１１の大部分を開放するためには、第１のスライダ２２０が第２のスライダ２２２から離れる方向に移動されると同時に第２のスライダ２２２をクリップ２３（図１）の一方に接触させる必要がある。
【００９４】
第１のスライダ２２０および第２のスライダ２２２は、スライダ２２０，２２２をともに選択的に連結するための突出−受容構造１１０を含む。
【００９５】
図１７〜図２１の実施形態における突出−受容構造は、側壁２０，２１の一方において少なくとも１つの受容部２２４（図１７）を含む。図示される実施形態では、第１のスライダ２２０は側壁２０における凹部２２６および側壁２１における凹部２２７の形態の受容部２２４を有する。
【００９６】
第２のスライダ２２２は受容部２２４によって受容される突出部２２８（図１７）を含む。図示された実施形態では、突出部２２８は、側壁２０から延出するタブ２３０と、側壁２１から延出するタブ２３１とを含む。タブ２３０は、凹部２２６に受容されるサイズになされており、タブ２３１は凹部２２７に受容されるサイズになされる。
【００９７】
突出−受容構造１１０は、第１のスライダ２２０および第２のスライダ２２２をともに選択的に連結および連結解除するために連結機構２３４（図１８）を含むことができる。連結機構２３４はこの実施形態では、タブ２３０におけるフック２３６と、凹部２２６によって規定されるキャッチ２３７とを含む。フック２３６は、スライダ２２０，２２２の相互連結を補助するようキャッチ２３７の後ろ側に係合する。
【００９８】
同様にタブ２３１はフック２３９を含む（図１９９）。キャッチ２４０（図２２）は、フック２３９の係合のために凹部２２７によって規定される。
【００９９】
多くの実施形態が使用可能である一方で、この実施形態は、第２のスライダ２２２から延出するタブ２３０，２３１の両方と、第１のスライダ２２０によって規定される凹部２２６，２２７の両方と、を示しており、第１のスライダ２２０および第２のスライダ２２２が各凹部およびタブのうちの１つを有してもよいことを理解されたい。
【０１００】
第１のスライダ２２０を第２のスライダ２２２に対して解放可能に相互連結または固定するためにタブ２３０，３２１は凹部２２６，２２７に挿入される。タブ２３０，２３１は、フック２３６，２３９をキャッチ２３７，２４０の後ろ側で係合できるように偏向する。第１のスライダ２００および第２のスライダ２２２の間の接続を解除するために、スライダ２２０，２２２は互いから引っ張られるか、または互いに対してわずかに傾斜されるかもしくはねじられて、フック２３６，２３９がキャッチ２３７，２４０から係合解除される。
【０１０１】
３．図２３〜図２９の実施形態
ダブルスライダ１００の別の実施形態は図２７〜図２９に図示されている（図２７〜図２９の第１および第２のスライダは図２３〜図２６に示される）。
【０１０２】
まず図２７〜図２９を参照すると、ダブルスライダ１００は第１のスライダ２５０および第２のスライダ２５２を含む。上述の実施形態と同様に、第１のスライダ２５０および第２のスライダ２５２は選択的にともに連結され、ジッパークロージャ１１に沿って単一ユニットとして摺動する。スライダ２５０，２５２は選択的に互いから解放され、これらスライダはジッパークロージャ１１に沿って独立して摺動できる。
【０１０３】
ジッパークロージャ１１は、スライダ２５０，２５２の一方または両方をジッパークロージャ１１に沿って他方のスライダとは反対の方向に移動させることによって開放できる。この実施形態ではスライダ２５０，２５２の両方が、他方のスライダ２５０，２５２から離れる方向に移動されると、ジッパークロージャを開放するよう作動できる。スライダ２５０，２５２が互いに連結され、かつ連結されたスライダがジッパークロージャ１１に沿ってともに移動する場合、ジッパークロージャ１１は閉じられたままとなる。
【０１０４】
第１のスライダ２５０および第２のスライダ２５２は、第１のスライダ２５０および第２のスライダ２５２の間に選択的に解除可能な接続を実現するために突出−受容構造１１０を含む。この実施形態では、突出−受容構造１１０は、側壁２０，２１の一方によって規定される受容部２５４を少なくとも含む。
【０１０５】
多くの実施形態が使用可能である。図２３〜図２８に図示される実施形態では、第１のスライダ２５０および第２のスライダ２５２の各々が突出部２５６および受容部２５４の両方を含む。別の実施形態では、スライダ２５０，２５２は１つ以上の突出部のみをまたは１つ以上の受容部のみを有することもできる。
【０１０６】
図２３では、第１のスライダ２５０は、端部５０からかつ側壁２１から延出または突出する突出タブ２５８を有する。第１のスライダ２５０の反対側の側壁２０は凹部２６０を規定する。
【０１０７】
第２のスライダ２５２が側壁２０から延出する突出タブ２６２を有する一方で、反対側の側壁２１が凹部２６４を規定する。
【０１０８】
タブ２５８，２６２および凹部２６０，２６４は、互いに受容されかつ係合するようなサイズに構成されている。図２７および図２８を参照されたい。
【０１０９】
図２３〜図２８の突出−受容構造１１０は、突出−受容構造１１０をともに選択的に連結するための連結機構２６６（図２８）を含む。この実施形態では連結機構２６６は、タブ２５８上にフック２６８（図２３）を含む。フック２６８はキャッチ２７０（図２５）の後ろ側に係合する。同様にタブ２６２は、凹部２６０の一部として規定されるキャッチ２７４（図２３、図２６および図２７）の後ろ側に係合するフック２７２（図２４）を有する。
【０１１０】
第１のスライダ２５０および第２のスライダ２５２を解放可能に接続するために、第１のスライダ２５０および第２のスライダ２５２の開端部５０は、タブ２５８が凹部２６４によって受容されかつフック２６８がキャッチ２７０の後ろ側に係合してスナップ留めされるように、ともに押圧される。同時にタブ２６２は凹部２６０によって受容され、フック２７２はキャッチ２７４の後ろ側にスナップ留めされる。第１のスライダ２５０と第２のスライダ２５２の間の接続を解除するために、２つのスライダを離間されるよう引っ張ることができ、あるいはさらに、これには、連結機構２６６を解放するために互いに対するねじり応力または引張応力が含まれてもよい。
【０１１１】
４．図３０〜図３７の実施形態
図３０〜３７はダブルスライダ１００の別の実施形態を示す。図３０〜図３７におけるダブルスライダ１００は第１のスライダ２８０および第２のスライダ２８２を含む。上述の実施形態と同様に、第１のスライダ２８０および第２のスライダ２８２は、ジッパークロージャ１１に沿って単一ユニットとして摺動するように、ジッパークロージャ１１に動作可能に取り付けできかつ互いに選択可能に連結できる。
【０１１２】
２つのスライダ２８０，２８２が互いに連結される場合、ジッパークロージャ１１は閉じられたままとなる。２つのスライダ２８０，２８２が選択的に互いから解放されてジッパークロージャ１１に沿って独立して摺動すると、スライダ２８０，２８２の少なくとも一方がジッパークロージャ１１を開放するよう作動する。こうした特定の実施形態では、スライダ２８０，２８２が互いから離間されるように移動される場合に、第１のスライダ２８０および第２のスライダ２８２の両方がジッパークロージャ１１を開放できる。
【０１１３】
第１のスライダ２８０および第２のスライダ２８２は、これらスライダの間に選択的に解除可能な接続を実現するために突出−受容構造１１０を含む。
【０１１４】
この実施形態では、突出−受容構造１１０は、偏向可能な舌状部２８４の形態の突出部２８３を含む。偏向可能な舌状部２８４はこの実施形態では第１のスライダ２８０の一部である。舌状部２８４は少なくとも１つの連結ショルダ２８６を有する（図３３）。
【０１１５】
第２のスライダ２８２は、偏向可能な舌状部２８４を受容しかつ連結ショルダ２８６およびキャッチ２９０を係合するために、キャッチ２９０（図３２および図３６）を備えるキャビティ２８８（図３２、図３６および図３７）の形態の受容部２８７（図３２）を規定する。
【０１１６】
図示される実施形態では、舌状部２８４は第２のショルダ２９２を含む（図３３および図３５）。キャビティ２８８は第２のキャッチ２９４を規定する。舌状部が、上方に偏向して第１のスライダ２８０の上部部材５４の残りの部分から離れるそのポジションにある場合、舌状部２８４はキャビティ２８８内に受容され、連結ショルダ２８６，２９２はキャッチ２９０，２９４と接触して係合する。
【０１１７】
第１のスライダ２８０と第２のスライダ２８２との間の接続を解除するために、舌状部２８４は第１のスライダ２８０の残りの部分へ向かう方向に下方に偏向できる。それにより連結ショルダ２８６，２９２はキャッチ２９０，２９４との係合から解放され、第１のスライダ２８０および第２のスライダ２８２は軸線方向に離れるように引っ張り可能となる。
【０１１８】
図３０、図３２および図３５から明らかなように、偏向可能な舌状部２８４は第１のスライダ２８０の上部部材５４から突出する。舌状部の下方において上部部材５４は、ジッパークロージャ１１を受容する開口２９６（図３４）を越えて延出または突出する延出部２９８を有する。上部部材５４のこの延出部２９８は、第２のスライダ２８２のキャビティ２８８内に受容され、それによって第１のスライダ２８０および第２のスライダ２８２が選択的に互いに連結される場合、第１のスライダ２８０および第２のスライダ２８２のそれぞれの開端部５０は互いに直接隣り合って対向した状態で押圧されてもよい。
【０１１９】
ジッパークロージャ１１を開放するために、第１のスライダ２８０および第２のスライダ２８２の少なくとも一方が互いから離れる方向に移動される。これは、第１のスライダ２８０上の舌状部２８４の形態の突出部を、第２のスライダ２８２によって規定されるキャビティ２８８の形態の受容部から解放することによって実施可能である。
【０１２０】
５．図３８〜図４２および図５２〜図５５の実施形態
ダブルスライダ１００の別の実施形態が図３８〜図４２および図５２〜図５５に図示される。この実施形態におけるダブルスライダ１００は第１のスライダ３００および第２のスライダ３１２を含む。第１のスライダ３１０および第２のスライダ３１２は、ともに選択的に連結できかつジッパークロージャ１１に沿って単一ユニットとして摺動できる。これらスライダは、互いから選択的に解放可能であり、ジッパークロージャ１１に沿って個別に摺動できる。２つのスライダ３１０，３１２がともに連結される場合には、ジッパークロージャ１１は閉じられたままとなる。２つのスライダ３１０，３１２が互いから解放されている場合には、２つのスライダ３１０，３１２の少なくとも一方を他方のスライダから離れるように移動させることによってジッパークロージャ１１を開放できる。この実施形態では、第１のスライダ３１０および第２のスライダ３１２は、スライダ３１０，３１２の他方から離れる方向に移動される場合にジッパークロージャ１１を開放するよう作動できる。
【０１２１】
スライダ３１０，３１２は、突出−受容構造１１０によって互いに選択的に解放可能に接続される。この実施形態では、突出部３１４（図３８）は少なくとも１つの舌状部３１８として実施されている。受容部３１８（図３８）は第２のスライダ３１２によって規定されるキャビティ３２０として実施されている。
【０１２２】
この実施形態では、突出部３１４は第１のスライダ３１０における第１および第２の偏向可能な舌状部３１６，３１７を含む。キャビティ３２０が偏向可能な舌状部３１６、３１７の両方を受容する。舌状部３１６，３１７は、キャビティ３２０に入ると第１のスライダ３１０の本体へ向けてかつ中央長手方向軸線３３８（図４２）へ向けて横方向内側へ偏向し、続いて第２のスライダ３１２に連結されるように本体から離れかつ長手方向軸線３３８から離れるように横方向外側に偏向する。
【０１２３】
舌状部３１６は少なくとも１つのショルダ３２２を含む（図３８および図５５）。舌状部３１６上のショルダ３２２は、第２のスライダ３１２におけるキャッチ３２４（図５３）と係合する。図５５に図示される例示的な実施形態では、舌状部３１６は一対のショルダ３２２，３２４を含む。ショルダ３２２，３２４は、キャビティ３２０内において第２のスライダ３１２によって規定されたキャッチ３２６，３２８（図５３）と係合する。
【０１２４】
同様に舌状部３１７は少なくとも１つのショルダ３３０を含んでおり、図示された実施形態では一対のショルダ３３０，３３２を有する（図５３）。ショルダ３３０，３３２は、キャビティ３２０内で第２のスライダ３１２によって規定されたキャッチと係合する。ショルダ３３０，３３２と係合するこれらのキャッチは、類似しておりかつキャッチ３２６，３２８と同じ外観を有する。図５２および図５４にはキャッチ３３６の１つが図示される。
【０１２５】
偏向可能な舌状部３１６，３１７は、互いへ向けて偏向でき、あるいは互いからかつ第１のスライダ３１０を通って長手方向に延在する長手方向軸線（図４２）から離れるように偏向できる。舌状部３１６，３１７は、舌状部３１６，３１７の自由端においてフィンガ保持部３４８，３４９を含む。フィンガ保持部３４８，３４９は、舌状部３１６，３１７をともに押し込むように使用者の指でつままれるようなサイズに構成されている。第１のスライダ３１０および第２のスライダ３１２は動作可能に互いに接続または係合されている場合、フィンガ保持部３４８，３４９はキャビティ３２０の外側に位置される一方で、舌状部３１６，３１７の残りの部分はキャビティ３２０の内側にされている。図４０〜図４２を参照されたい。
【０１２６】
第１のスライダ３１０は、第１のスライダの残りの部分から突出または延出する接続部分３４２を含む。図５３および図５５に図示される実施形態では、接続部３４２は第１のスライダ３１０の開端部５０を越えて突出して延出する。第１のスライダがバッグの上部に沿って延在するジッパーを備えるジッパークロージャ１１上に動作可能に配向される場合、ジッパークロージャ１１を受容する開口３４４（図３８）が接続部３４２の下方に配置される。接続部分３４２は、第１のスライダ３１０のうち第２のスライダ３１２のキャビティ３２０に最初に入る部分である遠位端３４０を含む。
【０１２７】
第２のスライダ３１２は、ジッパークロージャ１１がバッグの上部に沿って延在する場合にスライダ３１２が該ジッパークロージャ１１上に動作可能に配向されると、ジッパークロージャ１１のための開口３４６の上方に位置される第２のスライダ３１２の接続部分３４３（図８）によって規定される受容キャビティ３２０を有する。
【０１２８】
第１のスライダ３１０および第２のスライダ３１２を選択的に接続するために、使用者は、第１のスライダ３１０の接続部分３４２の端部３４０を、第２のスライダ３１２のキャビティ３２０に挿入する。第１のスライダ３１０が第２のスライダ３１２のキャビティ３２０内へ向けて軸線方向に移動されると、ショルダ３２２，３２４，３３０，３３２が、第２のスライダ３１２のキャビティ３２０内のキャッチ３２６，３２８，３３６にスナップ留めされて係合する。この係合は、第１のスライダ３１０および第２のスライダ３１２をともに取り外し可能に連結する。それによって、スライダ３１０，３１２の開端部５０を互いに直接隣接させて対面させることができる。
【０１２９】
第１のスライダ３１０および第２のスライダ３１２の間の接続を解除するために、フィンガ保持部３４８，３４９は互いへ向けて押し込まれ、舌状部３１６，３１７が互いへ向かう方向にかつ第１のスライダ３１０の長手方向軸線３３８へ向かう方向に偏向される。これにより、ショルダ３２２，３２４，３３０，３３２を第２のスライダ３３２におけるキャッチ３２６，３２８，３３６から係合解除できる。係合解除後は、第１のスライダ３１０および第２のスライダ３１２は互いに分離して離れるように移動できると同時に、第１のスライダ３１０の接続部分３４２は第２のスライダ３１２のキャビティ３２０から取り外される。
【０１３０】
６．図４３〜図５１の実施形態
ダブルスライダ１００の別の実施形態が図４３〜図５１に図示される。ダブルスライダ１００は第１のスライダ３５０および第２のスライダ３５２を含む。第１のスライダ３５０および第２のスライダ３５２はジッパークロージャ１１に動作可能に取り付け可能である。２つのスライダ３５０，３５２は、ともに選択的に連結されかつジッパークロージャ１１に沿って単一ユニットとして摺動するよう配置構成されている。
【０１３１】
２つのスライダ３５０，３５２がともに連結される場合、連結されたスライダ３５０，３５２がジッパークロージャ１１に沿ってどの方向に移動されても、ジッパークロージャ１１は閉じられたままとなる。２つのスライダ３５０，３５２が選択的に互いから解放されて個別にジッパークロージャ１１に沿って移動される場合、ジッパークロージャ１１は、２つのスライダ３５０，３５２の少なくとも一方を互いから離れる方向に移動させることによって開放できる。この実施形態では、第１のスライダ３５０および第２のスライダ３５２の両方が、スライダ３５０，３５２の他方から離れる方向に移動されるとジッパークロージャ１１を開放するよう作動できる。
【０１３２】
第１のスライダ３５０および第２のスライダ３５２は突出−受容構造１１０によって選択的にともに連結される。この実施形態では、突出部３５４（図４６）が第１のスライダ３５０の一部であり、かつ偏向可能な舌状部３５６を含む。突出部３５４は、第２のスライダ３５２における受容部３５８（図４６）によって受容される。受容部３５８は、第２のスライダ３５２によって規定されるキャビティ３６０（図５０）の形態のものである。
【０１３３】
この特定の実施形態では、第１のスライダ３５０は、第１のスライダ３５０の開端部５０から突出または延出する一対の舌状部３５６，３５７（図４８）を含む。舌状部３５６，３５７は、この実施形態では、延出舌状部またはフランジ３６２，３６６の形態のものであり、舌状部またはフランジ３６２，３６６の各々が、第１のスライダ３５０の残りの部分からの遠位端において先端３６５，３６６を有する。各先端３６５，３６６はその上に連結ショルダ３６８，３６９を規定する。
【０１３４】
第１のスライダ３５０の上面図である図４８を参照されたい。舌状部３５６，３５７は第１のスライダ３５０を通る長手方向軸線３７２へ向けてかつ該長手方向軸線３７２から離れるように偏向可能である。連結ショルダ３６８，３６９は長手方向軸線３７２から離れて対向している。
【０１３５】
第１のスライダ３５０は図示される実施形態ではガイドバー３７６をさらに含む。ガイドバー３７６は、第１のスライダ３５０の開端部５０から延出する。この実施形態では、ガイドバー３７６は舌状部３５６，３５７のフランジ３６２，３６３の間の中心に位置される。ガイドバー３７６は遠位端３７８を有しており、該遠位端３７８はこの実施形態では舌状部３５６，３５７の自由端３８０，３８１よりも長く延在する。
【０１３６】
ガイドバー３７６は、第１のスライダ３１０および第２のスライダ３１２をともに嵌合するよう方向付けてガイドするのに役立つ。こうした特定の実施形態では、ガイドバー３７６の遠位端３７８は、第２のスライダ３５２のキャビティ３６０に入る最初の構造となる。多くの実施形態および変更例が使用可能である。
【０１３７】
図４７および図４９では、どのように第１のスライダ３５０が、第１のスライダ３５０の上部部材５４の上方に延在する接続部３８２を有するかが示される。つまり舌状部３５６，３５７を有する接続部３８２は、第１のスライダ３５０がバッグの上部にわたってジッパーを備えるジッパークロージャ１１に動作可能に取り付けられた際にジッパークロージャ１１を受容する開口３８４上に延在する。
【０１３８】
第２のスライダ３５２は、上部部材５４の上方に配置される接続部３８６（図５０、図５１）内にキャビティ３６０を規定する。第２のスライダ３５２がジッパークロージャ１１上に動作可能に取り付けられるとともにジッパークロージャがバッグの上部に沿って位置決めされる場合、接続部３８６がジッパークロージャ１１を受容する開口３８８の上方に配置される。
【０１３９】
第２のスライダ３５２の接続部３８６は、キャビティ３６０の一部として、少なくとも第１および第２の舌状部−受容キャビティ３９１，３９２を含む。舌状部−受容キャビティ３９１，３９２は舌状部３５６，３５７を受容するサイズに構成されている。
【０１４０】
第２のスライダ３５２の接続部３８６は、舌状部３５６，３５７のショルダ３６８，３６９を係合するための一対のキャッチ３９４，３９５を規定する。図示される実施形態では、舌状部−受容キャビティ３９１，３９２は、第２のスライダ３５２の側壁２０，２１を通って広がる開口３９８，３９９を含む。舌状部３５６，３５７が舌状部−受容キャビティ３９１，３９２に挿入される場合、舌状部−受容キャビティ３９１，３９２の内壁は、該内壁が先端３６５，３６６を押圧するように、舌状部３５６，３５７を中央軸線３７２へ向けて内側に偏向させる。２つのスライダ３５０，３５２がともに軸線方向に移動し続けると、先端３６５，３６６は最終的に開口３９８，３９９にスナップ留めされる。この時点でショルダ３６，３６９はキャッチ３９４，３９５に係合される。これによって第１のスライダ３５０および第２のスライダ３５２はともに解放可能に連結される。
【０１４１】
キャビティ３６０および接続部３６８は図示される実施形態ではバー−受容キャビティ４００をさらに含む。バー−受容キャビティ４００はガイドバー３７６を受容するようサイズに構成される。図４６では、どのようにバー−受容キャビティ４００が舌状部−受容キャビティ３９１，３９２の間に配置されるかが図示される。
【０１４２】
第１のスライダ３５０を第２のスライダ３５２から解放するために、フランジ３６２，３６３における先端３６５，３６６を、互いに向かう方向にかつ長手方向軸線３７２へ向けて押し込むかあるいは押圧することができる。これによりショルダ３６８，３６９をキャッチ３９４，３９５から係合解除できる。係合解除した後は第２のスライダ３５０および第２のスライダ３５２を互いから離れるように軸線方向に引っ張ることができる。
【０１４３】
上述の説明は本開示の例示的な原理を示すものである。そうした原理を適用して多くの実施形態を実現できる。
【符号の説明】
【０１４４】
１０  第１のスライダ
１０’  第２のスライダ
１１  ジッパークロージャ
１２  雄型トラック
１３  雌型トラック
１４  雄型形状部
１５  雌型形状部
１６  フィン
１７  スライダ本体
１８  分離フィンガ
１９  脚
２０  第１の側壁
２１  第２の側壁
２２  ショルダ構造
２３  端部クリップ
２５  本体パネル
３２  バッグＢの底部
３４，５３  耳
３６  ショルダ
４０  バッグの開口
５０  閉端部
５２  閉端部
５４  上部部材
５５  内面
１００  ダブルスライダ
１１０  突出−受容構造
１１２  突出部
１１４  受容部
１２０  タブ
１２１  第１のスライダ
１２２  第２のスライダ
１２３  上部部材
１２４  突起
１２６  上部部材
１２８  開口
１３２  ローブ形状突出部
１３３  第１のスライダ
１３４  開口
１３５  第２のスライダ
１３６，１３７  上部部材
１４１  第１のスライダ
１４２  第２のスライダ
１４４  突出部
１４５  上部部材
１４６  受容部
１４８  突出部
１４９  上部部材
１５０  受容部
２００  第１のスライダ
２０２  第２のスライダ
２０４  受容部
２０６  突出部
２０８  凹部
２１０  タブ
２１２  連結機構
２１４  突出部
２２０  第１のスライダ
２２２  第２のスライダ
２２４  受容部
２２６，２２７  凹部
２２８  突出部
２３０，２３１  タブ
２３４  連結機構
２３６，２３９  フック
２３７，２４０  キャッチ
２４２  第１の端部
２４３  第２の端部
２４４  フィンガ受容キャビティ
２５０  第１のスライダ
２５２  第２のスライダ
２５４  受容部
２５６  突出部
２５８  タブ
２６０，２６４  凹部
２６２  タブ
２６６  連結機構
２６８，２７２  フック
２７０，２７４  キャッチ
２８０  第１のスライダ
２８２  第２のスライダ
２８３  突出部
２８４  偏向可能な舌状部
２８６  連結ショルダ
２８７  受容部
２８８  キャビティ
２９０  キャッチ
【図１】
0006693864.tif 000002
【図２】
0006693864.tif 000003
【図３】
0006693864.tif 000004
【図４】
0006693864.tif 000005
【図５】
0006693864.tif 000006
【図６】
0006693864.tif 000007
【図７】
0006693864.tif 000008
【図８】
0006693864.tif 000009
【図９】
0006693864.tif 000010
【図１０】
0006693864.tif 000011
【図１１】
0006693864.tif 000012
【図１２】
0006693864.tif 000013
【図１３】
0006693864.tif 000014
【図１４】
0006693864.tif 000015
【図１５】
0006693864.tif 000016
【図１６】
0006693864.tif 000017
【図１７】
0006693864.tif 000018
【図１８】
0006693864.tif 000019
【図１９】
0006693864.tif 000020
【図２０】
0006693864.tif 000021
【図２１】
0006693864.tif 000022
【図２２】
0006693864.tif 000023
【図２３】
0006693864.tif 000024
【図２４】
0006693864.tif 000025
【図２５】
0006693864.tif 000026
【図２６】
0006693864.tif 000027
【図２７】
0006693864.tif 000028
【図２８】
0006693864.tif 000029
【図２９】
0006693864.tif 000030
【図３０】
0006693864.tif 000031
【図３１】
0006693864.tif 000032
【図３２】
0006693864.tif 000033
【図３３】
0006693864.tif 000034
【図３４】
0006693864.tif 000035
【図３５】
0006693864.tif 000036
【図３６】
0006693864.tif 000037
【図３７】
0006693864.tif 000038
【図３８】
0006693864.tif 000039
【図３９】
0006693864.tif 000040
【図４０】
0006693864.tif 000041
【図４１】
0006693864.tif 000042
【図４２】
0006693864.tif 000043
【図４３】
0006693864.tif 000044
【図４４】
0006693864.tif 000045
【図４５】
0006693864.tif 000046
【図４６】
0006693864.tif 000047
【図４７】
0006693864.tif 000048
【図４８】
0006693864.tif 000049
【図４９】
0006693864.tif 000050
【図５０】
0006693864.tif 000051
【図５１】
0006693864.tif 000052
【図５２】
0006693864.tif 000053
【図５３】
0006693864.tif 000054
【図５４】
0006693864.tif 000055
【図５５】
0006693864.tif 000056